Podtech/llm-jp-corpus-v4-ja_patent huggingface dataset:
(57)【要約】      （修正有）【課題】有刺鉄線に造花のつるを巻きつけた装飾用防犯用具を提供する。【解決手段】有刺鉄線１に複数設けられた刺２と刺２の間の鉄線部３に造花４のつる部６を添わせて巻きつけたことを特徴とする装飾用防犯用具。【選択図】図２
2008307875.tif 000002
【特許請求の範囲】
【請求項１】
有刺鉄線の鉄線部に造花のつる部を巻き付けたことを特徴とする、装飾用防犯用具。
【発明の詳細な説明】
【技術分野】
【０００１】  本発明は、有刺鉄線に造花のつるを巻きつけた装飾用防犯用具に関するものである。
【背景技術】
【０００２】  従来、空き巣の侵入口である玄関・勝手口・窓等に取り付ける補助錠あるいは、侵入口の人影をキャッチしたり、開閉・破壊振動等に対応するアラームの防犯用具はあった。
【発明の開示】
【発明が解決しようとする課題】
【０００３】  そのために、次のような問題点があった。
（イ）補助錠は空き巣の侵入口である玄関・勝手口・窓等に空き巣狙いが近ずく手前で未然に防犯できない。
（ロ）補助錠は、地震等のときに入り口を開けるのに手間取る。
（ハ）補助錠は、子供や高齢者に取り付け、取り扱いが困難である。
（ニ）侵入口の人影をキャッチしたり、開閉・破壊振動などに反応するアラームの防犯用具は誤作動することがある。
（ホ）侵入口の人影をキャッチしたり、開閉・破壊振動などに反応するアラームの防犯用具は取り付け、取り扱いが子供や高齢者等に困難である。
（ヘ）補助錠や侵入口の人影をキャッチしたり、開閉・破壊振動等に反応するアラームの防犯用具は、装飾性がなく、美観を損ねる
本発明はこれらの問題点を解決するためになされたものである。
【課題を解決するための手段】
【０００４】  有刺鉄線の鉄線部に造花のつるを巻きつける。
以上を特徴とする、装飾用防犯用具である。
【発明の効果】
【０００５】  本発明は、空き巣狙い等が、侵入口に近づく手前で、未然に防犯でき、誤作動もない。庭のフェンスの根元にはわせておくか、又は庭の樹木の幹に巻きつけておくだけなので、子供や高齢者等にも、取り付け、取り扱いが至って簡易であり、かつ庭の樹木等と同色であるので、美観を損なわず、空き巣狙いには、迷彩となり防犯の効果が大である。
【発明を実施するための最良の形態】
【０００６】以下、本発明の実施の形態について説明する。
有刺鉄線（１）に複数設けられた刺（２）と刺（２）の間の鉄線部（３）に、造花（４）のつる部（６）を添わせて巻きつける。
本発明は以上のような構造で、これを使用するときは、庭のフェンス（７）の根元に、本発明をはわせておくか、又は庭の樹木（８）の幹（９）に本発明を巻きつけておくだけで、次のような防犯効果がある。
空き巣狙いが侵入すると、本発明の刺部分に衣類が絡みつき、歩行が困難となるので、これを外そうとすると刺が手、指を刺し、あわて、動揺することにより防犯効果が高まる。
【図面の簡単な説明】
【０００７】
【図１】  本発明の斜視図
【図２】  本発明の分解斜視図
【図３】  本発明の実施例を示す斜視図
【図４】  本発明の実施例を示す斜視図
【符号の説明】
【０００８】  １  有刺鉄線
２  刺
３  鉄線
４  造花
５  造花の葉
６  造花のつる
７  フェンス
８  樹木
９  樹木の幹
【図１】
2008307875.tif 000003
【図２】
2008307875.tif 000004
【図３】
2008307875.tif 000005
【図４】
2008307875.tif 000006
(57)【要約】 【課題】      乳幼児を入浴させる際に従来は、腰を屈めて作業することが多く、作業にかなりの労力と腰への負担を受ける。正対したまま作業が出来て、身体を前屈させたり、不自然に捻ることを減らし、又、作業者の労力の負担をも減らすこともめざす。日常生活のサポートをする。可能な限り、他の年齢層にも利用出来るものをめざしたい。【解決手段】    全体をポリエチレンのような軽量で弾力のある素材で全体を成型する。もしくは、座面の部分だけポリエチレン等にして、背面から椅子の脚の部分をプラスチックにする。前者の場合は固定式になるが、後者の場合は背もたれや脚の部分を構造変更することにより、リクライニング機構をもたせることや上下に伸縮させることが可能になり多用途性をもたせることができる。【選択図】        図１
2008307144.tif 000002
【特許請求の範囲】
【請求項１】
背中と座面下をくりぬくことによる体の背面より手を入れられる形状を持つ入浴用椅子
【発明の詳細な説明】
【技術分野】
【０００１】
本発明は、日常生活の負担を減らす生活用品分野で
ある
【背景技術】
【０００２】
従来、入浴椅子は背中やおしりなどを洗う場合体を起こす必要があった。
【特許文献１】特許公開平  ０９−１４０６１３
【発明の開示】
【発明が解決しようとする課題】
【０００３】
入浴中に体を洗ってあげる際、腰をかがめて作業して腰の痛い思いをする。
腰掛に座ったままの姿勢で負担のない作業をめざす。
【課題を解決するための手段】
【０００４】
上記課題を解決するために、請求項１の背面より手を入れられる形状を持つ入浴用椅子は
背中と座面下をくりぬくことにより、体を持ち上げることなく体の背面を洗えるようにする。
【発明の効果】
【０００５】
入浴中に体を洗ってあげる際の作業の負担を減らし、腰痛等の予防に寄与する。
【発明を実施するための最良の形態】
【０００６】
椅子の脚の高さを、作業者の腰掛椅子の高さに対して負担のない高さにする。
又、くりぬきの部分の形状を手やスポンジが入れやすい形状にする。
【実施例】
【０００７】
１    子供用として入浴中に使用する。
２    大型化が可能であれば障害者施設等で使用する。
【図面の簡単な説明】
【０００８】
図１左側に全体図、右側に背面図を表す。それぞれの背もたれと座面の下に空間を示す。
【図１】椅子の全体図  、背面図
【図１】
2008307144.tif 000003
(57)【要約】【課題】スポーツのトレーニング練習具において体力強化のため練習具に錘等で負荷をかける方法があるが、始動からいきなり抵抗が加わるのでは無く、次第に段階を追って違和感無く抵抗が加わりヘッドスピードの強化ができる素振り練習具を提供する。【解決手段】例えば野球用バットに中空部１を施し、その中空部１にオリフィス２を取り付け、その中におもり用粘性液体３を適量注入した。そのバットで繰り返し素振り練習を行うと始動時いきなり手首、腕に抵抗が加わらず、バットスイングの動きよってバット中空部１をおもり用粘性液体３が段階を追ってオリフィス２を通過し、バットの先端方向へ移動するにしたがい手首、腕に抵抗が加わりヘッドスピードの強化を発揮することとした。【選択図】図１
2008307090.tif 000002
【特許請求の範囲】
【請求項１】
野球、ソフトボール用のバット、ゴルフクラブ、テニス、卓球、バトミントンのラケット、剣道競技用の竹刀等、棒状に握り部を備えた運動練習具であって、前記握り部とこの握り部に連なる本体部とに連通して中空部（１）が施してあり、その中空部（１）の連通した部分にオリフィス（２）を設け、このオリフィス（２）を通じて握り部と本体部を連通した前記中空部（１）におもり用粘性液体（３）を適量注入したことを特徴とする素振り練習具。
【発明の詳細な説明】
【技術分野】
【０００１】
この発明は、スポーツの分野、例えば野球、ソフトボール、ゴルフ、テニス、バトミントン、剣道競技等の体力強化訓練用に主に用いられる棒状の素振り練習具に関する。
【背景技術】
【０００２】
例えば従来野球、ソフトボールにおいて実戦で使うバットより重くしたトレーニング用バット、同じく野球バット及びゴルフクラブの先端近傍に筒状又はＣ状の錘を挿入して使用するレーニング用素振り練習具がある。
【発明の開示】
【発明が解決しようとする課題】
【０００３】
しかし前者のトレーニング用バットは全体が、後者は先端がそれぞれ重くなっており、スイングの始動時からいきなり重さの抵抗が加わり、特に手首、腕に負荷がかかるという問題があった。この発明は、バット等がその始動時からいきなり重さの抵抗が加わることなしに、スイングの動きにつれて遠心力の増大とともに連続的に抵抗が増して加わるようにした練習具を提供することを目的とする。
【課題を解決するための手段】
【０００４】
前記の目的を達成するために本発明は野球用、ソフトボール用のバット、ゴルフ用クラブ、テニス、卓球、バトミントン等のラケット、剣道用の竹刀などの棒状に握り部を備えた運動練習具であって、前記握り部と、この握り部に連なる本体部とに連通して中空部１を形成し、その中空部１の連通した一部分にオリフィス２を設け、このオリフィス２を通じて握り部と本体部を連通した中空部１に、おもり用粘性液体３を適量注入したことを特徴とする。
【発明の効果】
【０００５】
本発明を用いると例えば野球用バットの中空部１にオリフィス２の取り付けと錘用粘性液体３が適量注入してあるそのバットで素振り練習を繰り返し行うと、始動時にはおもり用粘性液体３が握り部の位置にあるためいきなり手首、腕に抵抗が加わらず負荷のかかりは少ない。次にバットスイングの動きによっておもり用粘性液体３は中空部１を段階的に、オリフィス２を通過し先端方向へ移動することにしたがい手首、腕に抵抗が加わりバットのヘッドスピード強化に効果を発揮する。
【０００６】
本発明のゴルフクラブを用いて素振り練習を繰り返し行うと前記野球用バット同様、ゴルフクラブのヘッドスピード強化に効果を発揮する。
【０００７】
本発明のテニス、卓球、バトミントンのラケットを用いて素振り練習を繰り返し行うと前記野球用バット同様、テニス、卓球、バトミントン用ラケットのヘッドスピード強化に効果を発揮する。
【０００８】
本発明の剣道競技の竹刀を用いて素振り練習を繰り返し行うと前記野球用バット同様竹刀のヘッドスピード強化に効果を発揮する。
【発明を実施するための最良の形態】
【０００９】
本発明の素振り練習具について図１から図２に基づいて説明する。
図１は野球用バット素振り練習具の斜視断面図であり、図２は野球用バットで素振り練習の段階を示す説明図である。
【００１０】
図１は野球用バットの中空部１にオリフィス２を取り付け、おもり用粘性液体３を注入したことを示す斜視断面図である。
図２は野球用バットの素振りの動きを示す説明図で、バット中空部１をおもり用粘性液体３がオリフィス２を通過し段階を追って移動しているところを示している。
【００１１】
前記素振り練習具は中空部１にオリフィス２を取り付けないでおもり用粘性液体３を注入したものでも良い。
前記素振り練習具の中空部１に注入する液体はおもり用粘性液体３以外に水同様のものでも良い。
【００１２】
前記素振り練習具の中空部１に注入のおもり用粘性液体３は実験では粘度が５０００ミリパスカルのもので実施した。
前記素振り練習具の中空部１に注入するおもり用粘性液体３は内容量の可変ができるよう、握り部の片端に注入用の小穴を設け、その小穴に蓋を取り付けたものでもよい。
前記素振り練習具は原形を保った状態で違和感無く素振り練習をすることができる。
【図面の簡単な説明】
【００１３】
【図１】野球用バット素振り練習具の斜視断面図である。
【図２】野球用バットで素振り練習の段階を示す説明図である。
【図３】ゴルフクラブの斜視断面図である。
【図４】テニスラケットの斜視断面図である。
【図５】卓球ラケットの斜視断面図である。
【図６】剣道競技竹刀の斜視断面図である。
【符号の説明】
【００１４】
１  中空部
２  オリフィス
３  おもり用粘性液体
【図１】
2008307090.tif 000003
【図２】
2008307090.tif 000004
【図３】
2008307090.tif 000005
【図４】
2008307090.tif 000006
【図５】
2008307090.tif 000007
【図６】
2008307090.tif 000008
(57)【要約】      （修正有）【課題】水田に水を引くとき、できるだけ浮草や藻類などの雑草や、瓶や缶などの浮遊物が流入しないようにした、水田用藻類等流入防止具を提供する。【解決手段】水路側の金網１と水路側の金具２、水田側の金網３と水田側の金具４、を取り付けた。【選択図】図１
2008307041.tif 000002
【特許請求の範囲】
【請求項１】
水路側の金網（１）とその金網（１）を固定する金具（２）、水田側の金網（３）とその金網（３）を固定する金具（４）の水路側と水田側の両者を取り付けた水田用藻類等流入防止具。
【発明の詳細な説明】
【技術分野】
【０００１】  この発明は、水田に水を引くときに藻類や浮草等の雑草や、瓶や缶等の浮遊物が流入しないようにした水田用藻類等流入防止具に関するものである。
【背景技術】
【０００２】  従来、水田に水を引くとき藻類や浮草等の雑草や、瓶や缶などの浮遊物が流入し農家の人は大変困っていた。そこで、簡単な網などを立て流入防止策をしていたが、すぐに網が詰まり、流入量が落ちるので、その藻類など手作業で取り除いていた。
【発明の開示】
【発明が解決しようとする課題】
【０００３】  これは次のような欠点があった。
（イ）浮草や藻類などの雑草が水路から流入しイネの生育に障害を与えていた。
具体的には、水田雑草としては藻類にはアオミドロ、オオフサモや浮草類にはウキクサ、アカウキクサなどがあり、これらが水田に流入し、繁茂すると水温を下げ、イネの生育を抑制し、収量の減少の一因になっていた。
（ロ）対応策の金網を張っても、すぐ目が詰まり水が引くのに時間がかかっていた。また、それを取り除く手間も大変であった。
（ハ）瓶や缶などの浮遊物などの無機物も流入し、これらは、有機物と異なり腐植化することがなくそのまま水田に残り、農作業上危険なことも多くあった。
本発明は、以上のような欠点をすくなくすためになされたものである。
【課題を解決するための手段】
【０００４】  水路側の金網（１）と水路側の金具（２）、水田側の金網（３）と水田側の金具（４）を取り付ける。
本発明は、以上の構成よりなる水田用藻類等流入防止具である。
【発明の効果】
【０００５】  水路側の金網（１）と水路側の金具（２）を留めた水路用装置を畦に差し込む。水田側の金網（３）と水田側の金具（４）を留めた水田側の装置を水田内に差し込むだけで、装着は終了し、本具を使用することにより以下の効果が生まれる。
（イ）浮草や藻類などを水路から流入させない。
（ロ）浮遊物で水路の金網の目が詰まっても、水路側の装置下から水が流入するので水田へスムーズに流入するので、水を入れる時間が早くなる。また、藻類などを取り除く手間も回数も少なく、労働の軽減になる。
（ハ）外の金網の目を通過した浮遊物も、水田内の金網で防止できるので安心である。
（ニ）水路側の金具の設置も、水田側の金具の設置も差し込むだけで大変簡単である。
（ホ）水を水田に引かないときは、水田用藻類等流入防止具の底面が水面より上にあるので、水路への影響はない。
（ヘ）微細な藻類もあり、完全な防止はできないが、従来の方法に比べ流入防止効果は絶大である。
本発明は、藻類等の流入防止させることにより、イネの生育を助け、そのうえ、雑草除去や除草剤散布の回数を減らすなど環境的にも優れた、農作業の軽減が期待できる藻類等の流入防止させる水田灌水用農具である。
【発明を実施するための最良の形態】
【０００６】  以下、本発明を実施するための最良の形態について説明する。
水路側の金網（１）と金網を固定するための水路側の金具（２）を取り付けた水路側の装置（水路側水田用藻等流入防止具）を畝に差し込み、畝の横から藻類が流入しないように金網（１）を畝に密着するようにする。
水田側の金網（３）は水路側の金網（１）より目の細かい金網にし、水田側の金具（４）にとめた装置（水田側水田用藻類等流入防止具）の水田側の金具（４）を水田に差し込み、畝の横から藻類が流入しないように金網（３）を畝に密着するようにする。
その後、水路に堰をし、水田へ水を引く。水田へ流入する水は二重の金網で、藻類や浮草の流入を防止しながら流れる。水路側（外側）の金網が藻類で塞がれても、水は下を潜り流入する。浮力のあるものは浮いて水路側にとどまるが、一部下を潜り流入した藻類等は水田側（内側）の金網で水田への流入が防止できる。
水流の流れを上下させるために、水路側に設置した装置の下に金網を張らず水の流れを自由にしたのが、この装置の特徴である。
【図面の簡単な説明】
【０００７】
【図１】本発明の斜視図である。
【図２】本発明の分解斜視図である。
【図３】本発明の立体図である。
【符号の説明】
【０００８】  １  水路側の金網
２  水路側の金具
３  水田側の金網
４  水田側の金具
【図１】
2008307041.tif 000003
【図２】
2008307041.tif 000004
【図３】
2008307041.tif 000005
(57)【要約】【課題】  本発明は延縄漁業や一本釣り釣り用餌に関し、比較的水深の深いところの本マグロ等の高級魚を対象にした釣り用餌とその製造方法を提供することを目的とする。【解決手段】  天然魚の眼球部分に発光バクテリア又は蓄光剤からなる発光体を埋め込み固着したことを特徴とする釣り用餌とその製造方法を提供する。両方の眼球部分に埋め込んだ発光体を固着させるため海水中での脱離も防止できるものである。【特許請求の範囲】
【請求項１】
天然魚の眼球部分に発光体を埋め込み固着させたことを特徴とする釣り用餌
【請求項２】
天然魚の眼球部分に発光体を埋め込み固着させたことを特徴とする釣り用餌の製造方法
【請求項３】
天然魚がアジ、鯖またはサンマであることを特徴とする天然魚の眼球部分に発光体を埋め込み固着させたことを特徴とする釣り用餌
【請求項４】
発光体が発光バクテリアまたは蓄光剤を主成分とすることを特徴とする天然魚の眼球部分に発光体を埋め込み固着させたことを特徴とする釣り用餌
【請求項５】
発光体を眼球部分に埋め込む際に固着剤として接着性ポリマーを用いることを特徴とする天然魚の眼球部分に発光体を埋め込み固着させたことを特徴とする釣り用餌の製造方法
【発明の詳細な説明】
【技術分野】
【０００１】    本発明は、延縄漁業や一本釣り等の釣り用餌を用いた漁業において大きな漁獲量が得られる人工釣餌とその製造方法に関する。
【背景技術】
【０００２】    従来の釣り用餌は、小型の鰯、サンマやアジ等の生餌をそのまま用いたり、種々の素材をゲル化剤で成型した人工餌が用いられてきた。（例えば特許文献１参照）また、発光体を含有させた人工餌も種々提案されてきた。（例えば特許文献２参照）
【特許文献１】特開２００２−３３０６７０号  公報
【特許文献２】特開平５−１６８３８３号  公報
【発明の開示】
【発明が解決しようとする課題】
【０００３】    近年、マグロ等の世界的需要が増加している一方で、資源保護の点から漁獲制限もされるようになってきた。また、本マグロ、キハダマグロやメバチマグロ等の比較的高級魚の漁獲量が少なくなり、より優れた釣り用餌が求められている。また、本マグロ、キハダマグロやメバチマグロ等は水深の深いところを回遊しているため従来より目的性の高い餌が求められている。前述の魚には光に誘引される性質を持つものが多く、そのため釣り用餌に発光体を用いたものが提案されている。その際に発光バクテリアや蓄光剤を用いたものも多い。しかしながらその固定や使用時における保持に課題があった。
【課題を解決するための手段】
【０００４】    本発明者は、長期研究した結果、天然の生餌の眼球部分に発光体を埋め込み固着させた人工餌が、餌としての動きや臭気のみならず眼球部分の発光効果により、水深の深いところを回遊している本マグロ、キハダマグロやメバチマグロ等の高級魚の漁獲に顕著な効果があることを見出した。また、眼球部分にのみ埋め込むことで発光体の使用量を低減させることかつ使用時における脱離を少なくする固着方法を見出し本発明を完成した。
【発明の効果】
【０００５】    本発明によれば、これら高級魚や水深の深いところにいる魚に対しても高い漁獲がえられ、かつ餌の製造においても発光体の使用量を最小量にできる。
【発明を実施するための最良の形態】
【０００６】    以下、本発明の発光目玉を埋め込み固着した釣り用餌及びその製造方法について説明する。
素材となる天然のアジ、鯖またはサンマを準備する。次に天然魚の目玉部分に埋め込む発光体を製造する。【０００７】    発光体は、発光バクテリアを用いる場合は発酵菌を培養液で増殖させたものを用い、蓄光剤の場合は粉末をそのまま用いる。【０００８】    蓄光剤としては、硫化亜鉛銅を主成分とするものがあげられるが、例えばイージーブライト社製「ブルーグリーン」等が好適に用いられる。【０００９】    発光バクテリアを用いる場合は、作業時に雑菌が混入しないようにクリーンベンチを用い滅菌済みの容器を用いる。【００１０】    次いで天然魚のすり身又は未利用の残渣を滅菌しミンチにしたものと粘結剤と先に準備した発光体とを混練する。【００１１】    その後、魚の目玉の大きさに合わせた半円球状のトレーに流し込み凍結成型させる。成型した目玉に皮膜形成剤としてポリビニルアルコール水溶液を塗布する。【００１２】    粘結剤としては水溶性高分子材料があげられるが、例えば、天然由来のデンプン、ゼラチン、半合成のカルボキシメチルセルロース、メチルセルロース等のセルロース誘導体から、ポリビニルアルコール、ポリアクリル酸系ポリマー、ポリアクリルアミド、ポリエチレンオキシド等の合成系の水溶性高分子がある。好適にはポリビニルアルコールやセルロース誘導体があげられるが、環境への配慮から生分解性の材料が好ましい。【００１３】    次に餌に用いる天然魚の眼球を両眼とも取り出す。又両方の眼球の間にある軟骨部分も取り除く。
まず、片側の眼球を取り出した空孔部に先に用意した発光体を埋め込む。次に反対側の空孔からポリビニルアルコール水溶液を注入して先の埋め込んだ反対側の発光体と固着させる。その後発光体を埋め込むことで両眼側の発光体を固着させる。これにより実際に使用時における発光体の脱離を防止することが出来る。【００１４】    以上の操作により生餌の眼球部分に発光体を付加させた人工餌の製造が出来る。【００１５】    釣り用の餌として用いる際は、発光バクテリアの餌はそのまま用い、蓄光剤の場合は蛍光灯を３０分照射するか、紫外線ブラックライトを１〜５分照射することで発光効果が得られる。
【実施例】
【００１６】    以下、本発明を実施例において説明するが、これにより本発明が限定されるものではない。【００１７】    体長２０センチメートルのアジを用意し、その眼球を取り出した。両眼の間の組織を取り出し両眼の空孔部分をつなげた。次いで、アジのすり身２０グラムに蓄光剤としてイージーブライト社製「ブルーグリーン」（粒子径１５０ミクロン）を１グラム及び粘結剤としてポリビニルアルコール（日本合成社製「ゴーセノールＧＨ−１７」）の３％水溶液１０グラムを加えよく混練した。これを先のアジの眼球直径より２ミリメートル大き半円球状のトレーに流し込み、表面にポリビニルアルコール水溶液を塗布した。その後冷凍して成型した。凍結固化した後にこれを取り出し、まず発光体１個を先に用意したアジの眼球空孔に埋め込んだ。次に反対側の空孔から先の３％ポリビニルアルコール水溶液を注入して接着させその後発光体１個を埋め込んで両方の発光体を固着させ、眼球部分に発光体を埋め込んだ人工餌を製造した。
【産業上の利用可能性】
【００１８】    本発明の釣り餌を用いることで、延縄漁業や一本釣りにおいて天然生き餌と魚の発光体に誘引される効果が得られる利点がある。特に比較的深いところで行動する本マグロ等の高級魚の漁獲に効果が期待される。又、海水中での実使用において発光体の脱離もない利点がある。
(57)【要約】      （修正有）【課題】従来そばがきは温かいもので、冷めるにしたがい食感および風味が損なわれるものであったが、温かいそばがきと同等の食感および風味の冷たいそばがきを提供する。【解決手段】主材料のそば粉に加え新たにわらび粉を配合し、新しい製造工程により冷めたいそばがきの製造を可能にした。すなわち一人前分の原材料の配分および製造過程を例とすれば、わらびこ５ないし１５ｇを水１５０ｃｃで溶かし濾過し、鍋に移し中火で練っていき弾力がでてきたら水７５ｃｃを加え、次ぎにそば粉３０ないし６０ｇを篩いながら加えて強火で勢いよくかきまぜる。十分に火が通りふんわりしてきたら火を止め形を整え冷水に放ち冷たいそばがきを完成する。【選択図】なし【特許請求の範囲】
【請求項１】
そばがきにおいて、食感および風味を損なうことのない冷たいそばがきの製造法。
【発明の詳細な説明】
【技術分野】
【０００１】  この発明は、冷たいそばがきにおける材料の配分および製造に関し、具体的には温かいそばがきと同等の食感および風味の冷たいそばがきの製造に関する。
【背景技術】
【０００２】  従来そばがきは温かいもので冷めるにしたがい食感および風味が損なわれるために冷たいそばがきは存在しなかった。
【発明の開示】
【発明が解決しようとする課題】
【０００３】  この発明は、従来そばがきに用いられなかった副材料と新しい製造法により、温かいそばがきと同等の食感および風味を持つ冷たいそばがきの製造が可能となった。
【課題を解決するための手段】
【０００４】  この発明は、従来の温かいそばがきは冷めるにしたがい固くなりまた風味も損なわれるため冷たいそばがきは存在しなかったが、主材料のそば粉に新たに副材料としてわらびこを用い、また新しい製造工程により冷たいそばがきの製造が可能になった。
【発明の効果】
【０００５】  この発明により、従来存在しなかった冷たいそばがきを提供することが可能となり、また保冷や真空パック等による冷たいそばがきの商品の流通が可能となった。
【実施例】
【０００６】  この発明における、冷たいそばがきの一人前分の原材料の配分および製造過程を説明すれば次の通りである。
わらび粉自５ｇ乃至１５ｇを水１５０ｃｃで溶かし濾過し、鍋に移し中火で練っていき弾力がでてきたら水７５ｃｃを加え、次にそば粉自３０ｇ乃至６０ｇを振るいながら加えて強火で勢いよくかき混ぜる、十分火が通りふんわりしてきたら火を止め形を整え冷水に放ち完成する。
(57)【要約】      （修正有）【課題】従来の液肥は、ペーハー及びＥＣ濃度の調整をすることによって栽培食物の生育をしていたが、病気にかかり易く、収穫時期にかなりの日数を要する。【解決手段】従来的なペーハー及びＥＣ濃度にのみ頼るのではなく、ロータリーポンプ等１から得られた空気をパイプ２を通じて、液肥タンク３の底部に設置された強せん断による液肥活性化装置４により、竜巻流によるタンク内を液肥が循環すること、溶存酸素適正濃度がえられること、そして、液肥を強せん断して得られるイオン化の３点が、いままでにない最適な液肥を作り上げることを可能にした。このとき、強せん断による液肥活性化装置の設置場所は、液肥タンクの直径の３分の１程度の場所、すなわち、液肥タンクの中心から、はずれた位置に設置することが必要である。【選択図】図１
2008307034.tif 000002
【特許請求の範囲】
【請求項１】
液肥タンク内に竜巻流を発生させ、タンク内のペーハー及びＥＣの数値を均一にすることを可能にした
【請求項２】
液肥タンク内に設置した水耕栽培用改善装置エルティオにより、液肥全体の溶存酸素濃度上昇を可能にした
【請求項３】
液肥タンク内に設置した水耕栽培用改善装置エルティオにより、液肥をイオン化することにより、微生物の活性化を図り、作物の生育を増大させる
【発明の詳細な説明】
【技術分野】
【０００１】この発明は、水耕栽培で必要とする液肥タンク内に設けた竜巻流発生装置により液肥を活性化させることで、水耕栽培作物の育成を活発にする仕組みである。【０００２】この液肥タンクは、５トンから２０トンの液肥用が対象で、竜巻流は、毎分８０ｌから４００ｌの送風量をポンプより送られ、タンク内で液肥が混合される。この時、ペーハー及びＥＣ濃度が均一化されることも特徴である。【０００３】ポンプより送られた空気が液肥を強せん断するときに発生するエネルギーにより、液肥内に溶存酸素が含まれ、イオン水化され、活性液肥となることで、水耕栽培作物の育成が活発にとなる。
【技術分野】
【０００４】液肥活性化による野菜類の栽培技術
【背景技術】
【０００５】
【特許文献１】発明の名称  水耕栽培酸素供給システム  特許公開２０００−３４８７０３
【特許文献２】培養中の溶存酸素濃度を制御、管理できる水耕栽培システム  特許出願２００５−１９５０１５
【非特許文献１】植物工場の基礎知識と実際  高辻正基著  技術情報センター
【発明の開示】
【発明が解決しようとする課題】
【０００６】従来の技術では、種の移植から出荷までの期間が長く掛かり、供給に問題が出ることがある【０００７】栽培物の根に効率良く、十分な養分を供給する為には、絶えず酸素が摂取できるようにする必要があるが、従来の技術では不十分である。
【課題を解決するための手段】
【０００８】根から吸収される養分は、根の成長時期と茎及び葉の成長時期で異なる濃度が必要で、従来は微妙に調整をしていたが、活性液肥により容易になる。
【図面の簡単な説明】
【０００９】
【図１】上から見た平面図である。
【図２】横から見た側面図である。
【符号の説明】
【００１０】▲１▼  ポンプ
▲２▼  パイプ
▲３▼  液肥タンク
▲４▼  竜巻流発生装置
▲５▼  液肥輸送ポンプ
▲６▼  送水ポンプ
【図１】
2008307034.tif 000003
【図２】
2008307034.tif 000004
(57)【要約】      （修正有）【課題】電話設備を開閉器として使用し、従来の電話設備による゛電話を取る操作゛を不要にすると共に、通報操作の確実性を向上させ、更に、放送設備や他の機器と接続し、制御することを可能にし、また通報開閉器と通報配線を不要にし電話設備の機能に支障を与えない通報システムを提供する。【解決手段】電話設備を単独開閉器として機能させる通報システムと称する変換制御装置を設け、電話機に大型押し釦を装備した。また通報システムに光と音を使用した通報機能および外部機器接続機能を装備した。更に通報システムは電話設備に支障を与えない装置とし、電話設備の使用により通報開閉器と通報配線を不要にした。【選択図】図５
2008085967.tif 000002
【特許請求の範囲】
【請求項１】
（イ）電話設備に、通報システムと称する、変換制御装置を設ける事により、電話設備を開閉器として使用し、通報システムに装備した「光」と「音」を使用した通報機能により、従来の電話設備による゛電話を取る操作゛を不要にしました。
（ロ）電話設備に大型の押し釦を装備し、通報操作の確実性を向上させました。
（ハ）通報システムに装備された外部機器接続機能により、放送設備や他の機器と接続し、制御することを可能にしました。
（ニ）通報システムは、電話設備の機能に支障を与えない装置としました。
（ホ）通報システムは、全ての電話設備に有効な設備装置としました。
（ヘ）通報システムは、通報開閉器と通報配線を不要にしました。
以上の構成よりなる、「通報システム」です。
【発明の詳細な説明】
【技術分野】
【０００１】  電話設備に開閉器として機能させる通報システムと称する変換制御装置を設け、通報操作の確実性を向上する大型押し釦を電話設備に装備して、通報システムが装備する゛音と光゛により、電話設備の゛電話を取る゛操作を不要とし、同時に放送設備や他の機器を接続制御する事により、広範囲に渡る通報を可能する「通報システム」です。
【背景技術】
【０００２】  従来、電話設備の通報では、゛電話を取る゛操作を必要とし、開閉器として機能する電話設備はなかった。
【発明の開示】
【発明が解決しようとする課題】
【０００３】これは、次のような欠点があった。
（イ）電話設備による通報では、゛電話を取る゛操作を必要とした。
（ロ）電話設備の通報では、とっさの操作に、誤操作や誤使用の危険性があった。
（ハ）開閉器を使用した通報では、開閉器と配線を必要とした。
本発明は、以上のような欠点をなくすためになされたものです。
【課題を解決するための手段】
【０００４】  電話設備に開閉器として機能させる、通報システムと称する変換制御装置を設けました。
電話機設備に、大型押し釦を装備しました。
通報システムに、光と音を使用した通報機能を装備しました。
通報システムに、外部機器接続機能を装備しました。
通報システムは、電話機能に支障を与えない装置としました。
通報システムは、全ての電話設備に有効な装置としました。
以上の構成よりなる、「通報システム」です。
【発明の効果】
【０００５】  通報システムと称する変換装置を電話設備に設ける事により、従来の電話設備を使用した゛電話を取る゛操作を不要にしました。
大型の押し釦を電話機に装着する事により、咄嗟の誤操作をなくし、操作の確実性を向上させました。
外部制御機能を使用し、放送設備や他の機器に接続制御する事で、通報拡声を広範囲に行う事を可能にしました。
通報システムは、全ての電話設備機に設ける事が可能で、電話設備としての使用に支障を来たしません。
通報開閉器と通報配線とを不要にしました。
「通報システム」の作品は、このような構成です。だから、このように「発明の効果」が生まれました。
【発明を実施するための最良の形態】
【０００６】  通報システムと称する変換制御装置を、電話設備に設ける。
電話機に通報用大型押し釦を装着する。
通報システムと称する変換制御装置の外部接続端子に、放送設備や他の必要機器ｔが接続できる。
本発明は、以上のような構成で、これを使用するには、電話機に装着された大型押し釦の゛押し操作゛だけで機能する「通報システム」です。
【図面の簡単な説明】
2008085967.tif 000003
【図１】
2008085967.tif 000004
【図２】
2008085967.tif 000005
【図３】
2008085967.tif 000006
【図４】
2008085967.tif 000007
【図５】
2008085967.tif 000008
【手続補正書】
【提出日】平成18年12月6日(2006.12.6)
【手続補正２】
【補正対象書類名】明細書
【補正対象項目名】０００７
【補正方法】変更
【補正の内容】
【０００７】
【図１】  本発明の悪戯防止カバー付大型押し釦正面斜視図です。
【図２】  本発明の大型押し釦を取り付けた電話機の正面斜視図です。
【図３】  本発明の通報システム正面外観図です。
【図４】  本発明の通報システム正面扉開放外観図です。
【図５】  本発明の通報システム系統図です。
【手続補正３】
【補正対象書類名】明細書
【補正対象項目名】０００８
【補正方法】変更
【補正の内容】
【０００８】１．悪戯防止カバー
２．押し釦
３．押し釦座兼取付アタッチメント
４．悪戯防止カバー付大型押し釦装置
５．電話機
６．表示灯
７．拡声器
８．収納ケース扉
９．収納ケース筐体
１０．文字表示装置
１１．銘板
１２．変換制御電子ユニット
１３．外部接続端子
１４．電話制御装置
１５  通報制御装置
１６  外部接続機器
１７  外部接続回線
【手続補正４】
【補正対象書類名】図面
【補正対象項目名】図１
【補正方法】変更
【補正の内容】
【図１】
2008085967.tif 000009
【手続補正５】
【補正対象書類名】図面
【補正対象項目名】図２
【補正方法】変更
【補正の内容】
【図２】
2008085967.tif 000010
【手続補正６】
【補正対象書類名】図面
【補正対象項目名】図３
【補正方法】変更
【補正の内容】
【図３】
2008085967.tif 000011
【手続補正７】
【補正対象書類名】図面
【補正対象項目名】図４
【補正方法】変更
【補正の内容】
【図４】
2008085967.tif 000012
【手続補正８】
【補正対象書類名】図面
【補正対象項目名】図５
【補正方法】変更
【補正の内容】
【図５】
2008085967.tif 000013
(57)【要約】【課題】ＧＰＳ発信器を内蔵したシール・ワッペンまたは携帯品を身体の装着物又は持ち物に付けることにより、ひったくり被害や、子ども、高齢者、女性の行方不明等有事の際どこに付けているのかが相手にわかりにくいことによる防犯効果と、早期に所在地を確認することにより、警察等との連携による早期解決に貢献できるシステムである。【解決手段】ＧＰＳ発信器（１）を内蔵したデバイス（２）と、発信するデバイス内臓のシール・ワッペンまたは携帯品（３）から位置情報を受信する携帯電話（４）による、ＧＰＳを内蔵したデバイスとこれを受信する携帯電話による所在地検索及び確認システム。【選択図】図３
2008085966.tif 000002
【特許請求の範囲】
【請求項１】
ＧＰＳ発信器（１）を内蔵したデバイス（２）と、発信するデバイス内臓のシール・ワッペンまたは携帯品（３）から位置情報を受信する携帯電話（４）による、ＧＰＳを内蔵したデバイスとこれを受信する携帯電話による所在地検索及び確認システム。
【発明の詳細な説明】
【技術分野】
【０００１】  本発明は、ＧＰＳ発信器を内蔵した軽量・小型シール・ワッペンまたは携帯品から所在地を発信し、その位置情報を携帯電話によって受信し、検索・確認するシステムで、ひったくり被害や、子ども、高齢者、女性の行方不明等事件の防止と解決策を目的としているため、発信元が他のものにわかりにくく、取り付け位置が自在に選択できることなどを特徴とした所在地検索及び確認システムに関するものである。
【背景技術】
【０００２】  従来、防犯ブザー、ＧＰＳ内蔵型やブザー搭載型の携帯電話、また無線による追跡型のものがあった。
【発明の開示】
【発明が解決しようとする課題】
【０００３】  従来のシステムでは、対象者側がブザーや携帯電話を持ち且つ操作を行うため大衆に受け入れられていない。
そのために、次のような問題点があった。
（イ）ブザーについては女性をターゲットとして色々なものが存在しているが、携帯電話や化粧道具が優先され普及が難しい。
（ロ）子どもは両手に物を持ちたがらない傾向と相まって、携帯電話を持たせること事体にも親の間に是非論があり、またコスト的にも高くつく。
（ハ）子ども、高齢者にとっては携帯電話そのものの操作が難しく、有事の際には逆に犯人等に利用される恐れがある。
本発明は、これらの問題点を解決するためになされたものである。
【課題を解決するための手段】
【０００４】  ＧＰＳ発信器（１）を内蔵したデバイスと（２）から発信する位置情報を受信する携帯電話（３）による、ＧＰＳ内蔵の発信器と携帯電話による所在地検索及び確認システム。
【発明の効果】
【０００５】（イ）ＧＰＳ発信器を軽量・小型化し、シール・ワッペン・携帯化することによって、衣服、かばん、財布、帽子、名札等に付けることが出来、またキャラクターを用いることによっても興味を促すことが出来る。
（ロ）ＧＰＳ発信機の付ける対象物や位置を自由自在に選ぶことが出来るため、子どもから高齢者まで、各人にあったものを選択できる。
（ハ）発信元はＧＰＳ発信器のみの構造であり、シンプルかつ電池交換のみの手間で、消耗品として安価なコストで生産できる。
（二）受信を行う携帯電話はその位置情報を従来の携帯電話機能によって受信し、検索・確認するシステムで経費の削減にもなる。
（ホ）この発明は、従来の通信システムの改良、工夫により、かつ近年の事件の多発に鑑み、その利用価値は高い。
【発明を実施するための最良の形態】
【０００６】  以下、本発明の実施の形態を説明する。
（イ）ＧＰＳ発信器を内蔵したデバイスと位置情報を受信する携帯電話を設ける。
（ロ）ＧＰＳ発信器を内蔵したシール・ワッペンまたは携帯品を身体の装着物や所持品に付ける。
本発明は、以上の構成よりなっている。
機器は受信用携帯電話１台とデバイス内蔵のシール・ワッペンまたは携帯品複数枚（個）を１セットとし、これを使用するときはシール・ワッペンまたは携帯品を発信者側の身体の装着物や所持品のどこかに付け発信状態にしておく、
ＧＰＳ衛星からは位置情報を常時、ＧＰＳ発信器内蔵のデバイスに送信しており、有事の際には受信者側が受信用の携帯電話の操作を行い、所在地検索及び確認を行うことにより初期の目的が達成されることになる。
【図面の簡単な説明】
【０００７】
【図１】本発明の正面図
【図２】本発明のシステム例を示す正面図
【符号の説明】
【０００８】  １  ＧＰＳ発信器
２  ＧＰＳ発信器を内蔵したデバイス
３  発信するデバイス内臓のシール・ワッペン又は携帯品
４  位置情報を受信する携帯電話
５  ＧＰＳ衛星
６  ＧＰＳ衛星から受信するＧＰＳ発信器とこれを受信する携帯電話による、発信機の所在地検索及び確認システム
【図１】
2008085966.tif 000003
【図２】
2008085966.tif 000004
【図３】
2008085966.tif 000005
【手続補正書】
【提出日】平成18年11月15日(2006.11.15)
【手続補正１】
【補正対象書類名】明細書
【補正対象項目名】０００７
【補正方法】変更
【補正の内容】
【０００７】
【図１】本発明の正面図
【図２】本発明のシステム例を示す正面図
【図３】本発明のＧＰＳ通信手段の例を示すシステム図
(57)【要約】【課題】  簡単な構成でモールド樹脂剥離、マウント膨れなどの発生を防止する樹脂封止型半導体装置を提供することを目的とする。【解決手段】正方形のガラスエポキシフレーム基板１１の中心にピンホール１４を形成し、この基板１１のピンホール１４に対向する位置に半導体ＩＣチップ１２を固着して、基板１１上をモールド樹脂１３で被覆する構成の樹脂封止型半導体装置。【選択図】図１
2008085152.tif 000002
【特許請求の範囲】
【請求項１】
ピンホールが形成された基板と、この基板上であって前記ピンポールに対向する位置に固着された半導体ＩＣチップと、前記基板上を被覆するモールド樹脂とを具備することを特徴とする樹脂封止型半導体装置。
【請求項２】
前記基板は正方形であり、前記ピンホールは前記基板の中心に設けられることを特徴とする請求項１記載の樹脂封止型半導体装置。
【請求項３】
前記基板はガラスエポキシフレーム基板であることを特徴とする請求項１または２記載の樹脂封止型半導体装置。
【発明の詳細な説明】
【技術分野】
【０００１】
本発明は、熱工程中に封止内部に吸湿された水分の蒸発に伴って発生するモールド樹脂剥離、マウント膨れを防止する樹脂封止型半導体装置に関する。
【背景技術】
【０００２】
図２を参照して従来の樹脂封止型半導体装置を説明する。図２（ａ）に示すように、半導体ＩＣチップ２１はガラスエポキシフレーム基板２２上に固着されており、半導体ＩＣチップ２１はモールド樹脂２３にて封止されている。このような樹脂封止型半導体装置を製造する過程においては、実装時のリフローなどの熱工程により、封止内部に吸湿された水分が蒸発することにより封止内部が膨張して、図２（ｂ）に示すようにモールド樹脂２３の内部でのモールド樹脂剥離２４やマウント膨れ２５が発生した。この結果、樹脂封止型半導体装置として製品の信頼性を損なうこととなっていた。
【発明の開示】
【発明が解決しようとする課題】
【０００３】
本発明は、簡単な構成でモールド樹脂剥離、マウント膨れなどの発生を防止する樹脂封止型半導体装置を提供することを目的とする。
【課題を解決するための手段】
【０００４】
本願発明の一態様によればピンホールが形成された基板と、この基板上であって前記ピンポールに対向する位置に固着された半導体ＩＣチップと、前記基板上を被覆するモールド樹脂とを具備することを特徴とする樹脂封止型半導体装置が提供される。
【発明の効果】
【０００５】
本発明によれば、樹脂封止型半導体装置の製造工程中、熱工程にて内部に吸湿された水分が蒸発した場合であっても、ガラスエポキシフレーム基板を貫通して設けられたピンホールから水分が抜け、モールド樹脂剥離、マウント膨れなどの発生を防止することができるようになった。
【発明を実施するための最良の形態】
【０００６】
以下に本発明に係わる実施形態を図１を参照して説明する。図１（ａ）は断面図、図１（ｂ）は上面図、図１（ｃ）は底面図である。正方形のガラスエポキシフレーム基板１１の上面中央には図示しないベッド部が形成されており、このベッド部に半導体ＩＣチップ１２が固着されている。ガラスエポキシフレーム基板１１上面はモールド樹脂１３にて封止されている。また、ガラスエポキシフレーム基板１１の中央部には、この基板１１を貫通するピンホール１４が設けられている。
【０００７】
すなわち、このガラスエポキシフレーム基板１１の中心に設けられたピンホール１４は、半導体ＩＣチップ１２が固着されている直下に形成されていることになる。換言すれば半導体ＩＣチップ１２はピンホール１４に対向する位置に固着されることになる。
【０００８】
このようにガラスエポキシフレーム基板１１にピンホール１４を設けたことにより、実装時のリフローなどによる熱工程にて封止内部に水分が吸湿され、この水分が蒸発した場合でも水蒸気はピンホール１４から外部に放出される。この結果、モールド樹脂剥離、マウント膨れなどの発生を回避することを可能とした。すなわち、モールド樹脂とガラスエポキシフレーム基板界面の密着強度を保持しながら、排湿効果の高いパッケージを得ることを可能としたものである。
【図面の簡単な説明】
【０００９】
【図１】本発明に係わる実施形態を示す図。
【図２】従来技術を示す図。
【符号の説明】
【００１０】
１１…ガラスエポキシフレーム基板、１２…半導体ＩＣチップ、１３…モールド樹脂、１４…ピンホール。
【図１】
2008085152.tif 000003
【図２】
2008085152.tif 000004
(57)【要約】【目的】  この発明は、主に建物の屋上緑化等を実施する際の、植物栽培や緑化植栽する植栽基盤となる植栽装置に関するもので、雨水貯留層の容器の上に、植栽用土を包み込んだ透水性の風呂敷包みを重ねたものを、既設の陸屋根屋上の床盤に置くだけの、簡単で低廉にできる屋上緑化用植栽装置を開発するものである。【構成】  弾力性、不透水性の容器１の側面に、水分が定量たまる高さに排水口２を設け、その高さまで軽量な礫３をいれて水分貯留層とし、その上に、人工土壌を混入した軽い植栽用土４を包み込んで結んだ耐候性、透水性の風呂敷５を重ねた植栽装置。【選択図】図１
2008086304.tif 000002
【特許請求の範囲】
【請求項１】
ビニール等弾力性、不透水性のある容器１の側面に、水分が定量たまる高さに排水口２を設けその高さまで軽量な礫３を入れて水分貯留層とし、その上に植栽用土４を包み込んだ透水性風呂敷５を重ねる。このように構成された植栽装置。
【請求項２】
容器１の高さを排水口の高さにし、過剰水を溢水させ、排水口２を省略した薄型の容器１で構成した、請求項１の植栽装置。
【発明の詳細な説明】
【発明の詳細な説明】
【産業上の利用分野】
【０００１】  この発明は、主に建物の屋上緑化等を実施する際の、植物栽培や緑化植栽する際の植栽基盤となる装置に関するものである。
【背景技術】
【０００２】  従来の屋上緑化用の植栽装置は、新築の大規模建物用が主で、大多数の既設建物や個人住宅など小規模建物用のものがなかった。従来、防水、防根シート、保護マットを敷き、上に硬質の雨水貯留槽を据えて第一層にし、土壌流出防止フィルターを被せ、その上に植栽土壌層を構成した二重構造であった。貯留槽は頑丈で多種の材料を使い複雑な仕様で、専門業者が施工する高価な物しかなかった。
そのため、施設設置義務のない建物の屋上緑化が進まないのが現状である。
【発明が解決しようとする課題】
【０００３】  現状の防水された陸屋根の建物の屋上において、特別な防水や防根の工事を必要とせず、誰でも簡単に低廉で屋上緑化の整備が出来ること。そして、都市部の屋上緑化が大きく進展し、個人の建物管理の問題は勿論、ヒートアイランド現象等社会問題等の解決にも役立てること。が課題である。
【課題を解決するための手段】
【０００４】  本発明を図面の図１にそって説明すれば、
（イ）ビニール等弾力性、不透水性のある容器１の側面に、雨水等水分が定量たまる高さに排水口２を数ヶ所設ける。
（ロ）容器１の中に、排水口２が埋まる高さまで水分貯留層基盤として、間隙率が高い木炭や軽石砂利など軽量な礫３を敷き均す。
（ハ）貯留層の礫３の上に、容器１の２倍ほどの大きさの耐候性、透水性の風呂敷５を敷き、その中に、軽量な人工土壌を混入した軽い植栽用土４を容器の高さまで入れて植栽用土層とする。
（ニ）風呂敷５で用土を整形しながら包み込み、容器１の中心部で軽く結ぶ。
以上、水分貯留層と植栽用土層が風呂敷地を通して重なり合う一重構造の植栽装置である。
【作用】
【０００５】  本発明は、このような装置であるから、既設建物や個人住宅等小規模な陸屋根建物の屋上に簡単に据え置く、平坦な薄層の屋上緑化に適した装置である。
使用方法は、既設建物の屋上床盤の上に容器１を並べて置き、その中に礫３を、排水口２が埋まる高さまで敷き均し、その上に風呂敷５を敷き、植栽用土４を容器の高さまで入れて包み込み、容器の中央部で軽く結べば出来上がる。植える植物は、風呂敷５の結び目の隙間を開いて植える。宿根草は植えたままでもいいが、野菜栽培で追肥や耕耘する場合は、風呂敷５の結び目を解いて行う。雨水または散水された水は風呂敷５を透過し、土壌を浸透して水分貯留層にたまり、過剰水は排水口２から床盤に排出される。貯留層の水分は、毛細管現象により徐々に植栽用土４に補給される。容器１の大きさは扱いやすい寸法でよいが、高さは建物の許容積載荷重内に、装置の最大含水時の重量が収まるように決める。
【実施例】
【０００６】  図２に示すように、容器１の高さを図１の排水口の高さにすれば、排水口を設ける必要はなくなる。過剰水は溢水し効果は同じである。植栽用土４を包んだ風呂敷５の形が崩れやすい欠点があるが、並べて据えるため、隣合って形が崩れないように保持できる。また、場所により、形が定まっていないほうが、周囲との取り合せがうまくいく。
【発明の効果】
【０００７】  本発明は、構造が単純で一重構造のため、製品作製および組立て施工も非常に簡単で安価に設置できる。さらに他にも
（１）弾力性、不透水性容器１により、新規の防水シートと防根シート、保護マットが不要になる。（２）軽い礫３入り水分貯留層で、頑丈な貯留槽は不要になり装置の軽量化ができる。（３）軽い植栽用土４を透水性風呂敷で包むことによって、▲１▼土壌流出防止フィルターが不要になる。▲２▼風雨時の土壌の飛散、流出、作業時の土壌の散乱を防ぐ。▲３▼水分の蒸散抑制、保温、雑草防止が図れる。▲４▼作物栽培の播種時や幼苗時の防鳥、防風、防寒の効果がある。▲５▼枯葉等を押し込むことができ、マルチング効果が増し、飛散もせず、枯葉の腐蝕を早める。（４）この植栽装置は個々単体のため、徐々に増やすことも、移動、撤去も簡単にできる。（５）設置後植物の管理が出来ず放置しても、輻射熱発生抑制、建物温度の激変緩和、建物防水層の保護、雨水流出抑制効果等は存続できる。
等々効果は多く、家庭でも簡単に実施できることになるため、都市部の小規模建物や既設建物も含めて、多くの陸屋根建物の屋上緑化が進み、都市の過密な建物群の中にあっても、造園や園芸を楽しみながら、建物屋上の輻射熱発生を軽減でき、個人の建物管理の問題もヒートアイランド現象等社会問題も、解決に向けて前進することになる。
【図面の簡単な説明】
【図１】    本発明の斜視（一部断面）図である。
【図２】    本発明の、他の実施例の斜視（一部断面）図である。
【符号の説明】
１は容器
２は排水口
３は礫
４は植栽用土
５は風呂敷
【図１】
2008086304.tif 000003
【図２】
2008086304.tif 000004
(57)【要約】【課題】  菓子パン  従来はチョコパン、あんパンはあったが混合したものはない。【解決手段】  ビターチョコレートとぜんざいの煮つめたあんを、グラニュー糖と水を加え、１５分〜２０分位煮つめる。やや水分が残っている位で、堅すぎず又柔すぎない餡を作りクロワッサンの生地に包み込む形は円又は隋円形どちらでも可。【選択図】なし【特許請求の範囲】
【請求項１】
熔解されたチョコレート（２０〜４０％）と餡（６０〜８０％）とからなる混合物に水（１０〜３０％）及びグラニュー糖（２０〜４０％）を含む内容物をクロワッサンの生地に包まれてなることを特徴とする菓子パン。
【請求項２】
前記チョコレートはビターチョコレートであることを特徴とする請求項１記載の菓子パン。
【請求項３】
チョコレートと餡を５０°〜７０°Ｃ、１５〜２０分間混合した後水を加えて混合物をとく。
次いで、グラニュー糖を加え撹拌しながら中火から強火で加熱し、内容物を作成し、その内容物をクロワッサン生地に包むことを特徴とする菓子パンの製造方法。
【発明の詳細な説明】
【技術分野】
【０００１】  菓子パン及び菓子パンの製造方法に関する。
【背景技術】
【発明が解決しようとする課題】
【０００２】  甘味をつけたパン・また餡・クリーム・ジャムなどを入れたパンなどがある。。
【発明の開示】
チョコレートと餡を５０°〜７０°Ｃ、１５〜２０分間混合した後水を加えて混合物をとく。次いでグラニュー糖を加え撹拌しながら中火から強火で加熱し、内容物を作成し、その内容物をクロワッサン生地に包むことを特徴とする菓子パンの製造方法。
【発明が解決しようとする課題】
【０００３】  チョコレートパン及びあんパンは、従来あるがチョコレートと餡を混合したものは現在全く無い。チョコレートは子供に嗜好され、ぜんざいは老若男女に嗜好されるので、全ての人に好かれるのではないかと思う。
【０００４】  熔解されたチョコレート（２０〜４０％）と餡（６０〜８０％）とからなる混合物に水（１０〜３０％）及びグラニュー糖（２０〜４０％）を含む内容物をクロワッサンの生地に包まれてなることを、特徴とする菓子パン。
【発明を実施するための最良の形態】
【０００５】  チョコレートと餡を混ぜ合わせるが、風味はそこなわずまろやかな味がする。【０００６】  チョコレートはビターチョコ（ミルクがはいってないほろ苦い味）が好ましく、あんはあずきにして、又グラニュー糖はあっさりして、後味が残らないのでグラニュー糖を混ぜて少し水分が残る程度（かたすぎず又、やわらかすぎず手で丸められる耳たぶ位のかたさの餡を作りクロワッサンの生地で包む。形は円形又は隋円形にする。